【事件の表示】
　特願２０１４−１７８３８７「遊技機」拒絶査定不服審判事件〔平成２６年１２月２５日出願公開、特開２０１４−２４００１６〕について、次のとおり審決する。
【結　論】
　本件審判の請求は、成り立たない。
【理　由】
第１．手続の経緯
　本件出願は、平成２４年１２月２１日に出願した特願２０１２−２８０１００号の一部を平成２６年９月２日に新たな特許出願としたものであって、その手続の経緯は，概略，以下のとおりである。
　平成２６年１１月１０日：手続補正書
　平成２７年１０月１６日：拒絶理由通知
　平成２７年１２月２１日：手続補正書・意見書
　平成２８年　４月　７日：最後の拒絶理由通知
　平成２８年　６月　８日：手続補正書・意見書
　平成２８年　８月２５日：同年６月８日付け手続補正書でした補正の却下の決定
　平成２８年　８月２５日：拒絶査定
　平成２８年１１月２８日：審判請求書（拒絶査定不服の審判の請求）
　平成２８年１１月２８日：手続補正書
　
第２．平成２８年１１月２８日にされた手続補正についての補正の却下の決定
［補正の却下の決定の結論］
　平成２８年１１月２８日にされた手続補正（以下、「本件補正」という。）を却下する。
［理由］
１．本件補正について
　本件補正は、特許請求の範囲の補正を含んでおり、本件補正により、平成２７年１２月２１日付けの手続補正書における特許請求の範囲の請求項１における
「発射された遊技球が流下する遊技領域を形成する遊技盤と、
　前記遊技領域に設けられ、前記遊技領域を流下する遊技球が入賞する第１始動入賞口と、
　前記遊技領域に設けられ、前記遊技領域を流下する遊技球が入賞する第２始動入賞口と、
　前記遊技領域に設けられ、前記遊技領域を流下する遊技球を受け入れて進行方向を複数の異なる方向に振り分ける振分部を有する球振り分け装置と、
　前記振分部の両側の一方に設けられ、前記振分部により振り分けられた遊技球を前記第１始動入賞口に誘導する第１誘導路と、
　前記振分部の両側の他方に設けられ、前記振分部により振り分けられた遊技球を前記第２始動入賞口に誘導する第２誘導路と、
　前記第１誘導路で誘導される遊技球が通過する第１通過経路と、
　前記第２誘導路で誘導される遊技球が通過する第２通過経路と、
　前記第１通過経路に設けられ、前記第１誘導路側に振り分けられた遊技球が前記遊技領域に誘導可能に構成された第１通過可能領域と、
　前記第２通過経路に設けられ、前記第２誘導路側に振り分けられた遊技球が前記遊技領域に誘導可能に構成された第２通過可能領域と
　を備え、
　前記第１通過経路は、前記第１始動入賞口の上方かつ前記球振り分け装置の下方に設けられ、
　前記第２通過経路は、前記第２始動入賞口の上方かつ前記球振り分け装置の下方に設けられ、
　前記第１通過可能領域は、前記第１誘導路側に振り分けられた遊技球が、前記第１始動入賞口に入賞するよりも前記遊技領域に再び誘導され難いように構成され、
　前記第２通過可能領域は、前記第２誘導路側に振り分けられた遊技球が、前記第２始動入賞口に入賞するよりも前記遊技領域に再び誘導され難いように構成されていること
　を特徴とする遊技機。」
は、審判請求時に提出された手続補正書（平成２８年１１月２８日付け）における
「Ａ　発射された遊技球が流下する遊技領域を形成する遊技盤と、
前記遊技領域に設けられ、前記遊技領域を流下する遊技球が入賞する第１始動入賞口と、
前記遊技領域に設けられ、前記遊技領域を流下する遊技球が入賞する第２始動入賞口と、
前記遊技領域に設けられ、前記遊技領域を流下する遊技球を受け入れて進行方向を複数の異なる方向に振り分ける振分部を有する球振り分け装置と、
Ｂ　前記振分部の両側の一方に設けられ、前記振分部により振り分けられた遊技球を前記第１始動入賞口に誘導する第１誘導路と、
Ｃ　前記振分部の両側の他方に設けられ、前記振分部により振り分けられた遊技球を前記第２始動入賞口に誘導する第２誘導路と、
Ｄ　前記第１誘導路で誘導される遊技球が通過する第１通過経路と、
Ｅ　前記第２誘導路で誘導される遊技球が通過する第２通過経路と、
Ｆ　前記第１通過経路に設けられ、前記第１誘導路側に振り分けられた遊技球が前記遊技領域に誘導可能に構成された第１通過可能領域と、
Ｇ　前記第２通過経路に設けられ、前記第２誘導路側に振り分けられた遊技球が前記遊技領域に誘導可能に構成された第２通過可能領域と
　を備え、
Ｈ　前記第１通過経路は、前記第１始動入賞口の上方かつ前記球振り分け装置の下方に設けられ、
Ｉ　前記第２通過経路は、前記第２始動入賞口の上方かつ前記球振り分け装置の下方に設けられ、
Ｊ−１　前記第１通過可能領域は、前記第１誘導路側に振り分けられた遊技球
が前
、
Ｊ−２　
前記遊技盤の前面側で
Ｊ−３　
複数方向から該遊技球を押さえるように
Ｋ−１　前記第２通過可能領域は、前記第２誘導路側に振り分けられた遊技球
が前
、
Ｋ−２　
前記遊技盤の前面側で
Ｋ−３　
複数方向から該遊技球を押さえるように
に補正された（下線は、補正箇所を明示するために当審にて付した。また、「Ａ」〜「Ｋ−３」は、当審にて分説して付与した。）。
２．補正の目的
　上記補正は、補正前の請求項１に記載した発明を特定するために必要な事項である「第１通過可能領域」及び「第２通過可能領域」に関して、「第１（２）誘導路側に振り分けられた遊技球が前記第１始動入賞口に入賞するよりも前記遊技領域に再び誘導され難いように」という機能を実現するための構成を「遊技盤の前面側で複数方向から該遊技球を押さえるように」なる構成に限定するものであり、かつ、本件補正前の特許請求の範囲の請求項１に記載された発明と本件補正後の特許請求の範囲の請求項１に記載される発明の産業上の利用分野及び解決しようとする課題が同一であるので、本件補正は、特許法第１７条の２第５項第２号に掲げる特許請求の範囲の減縮を目的とするものに該当する。
　そして、本件補正は新規事項を追加するものではない。
３．発明の解釈
　上記構成Ｆ・Ｇの「第１通過可能領域」・「第２通過可能領域」は、該各構成においてそれぞれ上記構成Ｄ・Ｅの「第１通過経路」・「第２通過経路」に「設けられ」る要素として特定されている。つまり、「第１通過可能領域」・「第２通過可能領域」はそれぞれ、「第１通過経路」・「第２通過経路」なる遊技球が通過する経路における一領域である。
　また、該各「領域」では、構成Ｆ・Ｇにおいて「遊技球が前記遊技領域に誘導可能」であると特定される一方、構成Ｆ・Ｇ・Ｊ−１〜３・Ｋ−１〜３において、
　（ａ）「遊技球が前記遊技領域に誘導可能」な領域であること（Ｆ・Ｇ）
　（ｂ）「遊技盤の前面側」に位置する部分があること（Ｊ−２・Ｋ−２）、
　（ｃ）該「遊技盤の前面側」に位置する部分において「複数方向から該遊技球を押さえるように構成され」ていること（Ｊ−３・Ｋ−３）、
　（ｄ）（ｂ）（ｃ）の構成が「第１（第２）誘導路側に振り分けられた遊技球が前記第１（第２）始動入賞口に入賞するよりも前記遊技領域に再び誘導され難い」という作用を生じるようになされていること（Ｊ−１・Ｋ−１）
が特定されている。
　以上から、「第１通過可能領域」・「第２通過可能領域」は、それぞれ構成Ｄ・Ｅの「第１通過経路」・「第２通過経路」の一部分領域であって、「遊技盤の前面側」に位置する部分を有し、該部分では「複数方向から該遊技球を押さえるように構成され」、また、他方で、「遊技球が前記遊技領域に誘導可能」である部分や機能も備えている領域であると解される。
４．本件補正発明の独立特許要件についての検討
　そこで、本件補正後の特許請求の範囲の請求項１〜３に係る発明は、その請求項１〜３に記載された事項により特定されるものと認められるところ、その請求項１に係る発明（以下「本件補正発明」という。）が特許出願の際独立して特許を受けることができるものであるか（特許法第１７条の２第６項において準用する同法第１２６条第７項の規定に適合するか）について以下に検討する。
（１）刊行物１に記載された発明
　原査定の拒絶理由において提示された、本願の遡及日前に頒布された刊行物である特開２０１２−２２３３９９号公報（以下「刊行物１」という。）には、図面と共に次の事項が記載されている（下線は当審にて付した。以下同じ。）。
ア．「【背景技術】
【０００２】
　従来、遊技領域内に球振り分けユニットを配置しておき、遊技領域を流下する遊技球が流入口に流入すると、球振り分けユニットの内部で第１領域と第２領域とに遊技球を振り分ける先行技術が知られている（例えば、特許文献１参照。）。
【０００３】
　球振り分けユニットは振分部材を有しており、この振分部材は遊技球を第１領域に向けて導く状態と第２領域に向けて導く状態とに変化する。特に先行技術では、流入口から流入した遊技球の自重によって振分部材の状態（姿勢）を交互に変化させているため、複雑な電気的制御を用いることなく、複数の領域に対して交互に遊技球を振り分けることができる。
【０００４】
　また上記の球振り分けユニットは、第１領域、第２領域がそれぞれ第１始動口、第２始動口となっており、
流入口に流入して球振り分けユニット内部で振り分けられた後の遊技球は、第１始動口センサ、第２始動口センサのいずれかを必ず通過して盤面の裏側へ回収される構造
【０００５】
　このため、先行技術の球振り分けユニットを用いたパチンコ機では、球振り分けユニット内で第１始動口への入賞（交互振り分けによる入球）が発生すると第１抽選が実行されて第１図柄が変動し、また、球振り分けユニット内で第２始動口への入賞（交互振り分けによる入球）が発生すると第２抽選が実行されて第２図柄が変動する。このようなパチンコ機では、
第１図柄による大当り抽選と第２図柄による大当り抽選とが偏りなく交互に行われる
イ．「【発明が解決しようとする課題】
【０００７】
　上記の先行技術では、球振り分けユニットの内部に第１始動口と第２始動口とがそれぞれ配置されている構造であり、球振り分けユニットの流入口から回転体（振分部材）による振り分けを経由する以外に第１始動口や第２始動口への入賞は発生し得ない。この場合、球振り分けユニットの流入口に入った時点で遊技球は「入賞球」とみなされるため、構造上は流入口が本来の「入賞口」となり、第１始動口や第２始動口は独立した「入賞口」とはなり得ない。
【０００８】
　しかしながら先行技術では、構造上の「入賞口」であるはずの流入口に遊技球が入った時点では未だ入賞の発生を検知することができず、その後の回転体による振り分け動作を経て、遊技球が第１始動口（センサ）又は第２始動口（センサ）に到達してからでなければ入賞の発生を検知することができない。このため、本来の抽選契機となるべき入賞が発生した時点（流入口へ流入した時点）から、これを検知するまでの間（始動口センサに到達するまでの間）に大幅な遅れが生じてしまうという問題がある。また、電気的制御を用いない構造上、回転体によって振り分け動作が行われる時間にばらつきが生じる可能性もあるため、入賞の発生後に抽選用乱数を取得するタイミングが極端にばらついてしまうと、それによって遊技の公正が害されるという問題がある。
【０００９】
　そこで
本発明は、複数の図柄に対応する抽選要素の記憶数を最大限に活用できる遊技性を実現しつつ、抽選契機となるべき入賞の発生からその検出までのタイミングに極端なばらつきが生じるのを防止して遊技の公正を図る技術の提供を目的とする
ウ．「【００１１】
（４）内部抽選を行うためには条件があり、先ず第１抽選要素を用いて内部抽選を行う場合、
第１図柄についての第１始動条件が満たされた状態で、第２抽選要素より先に記憶された第１抽選要素が存在している必要がある
第２図柄についての第２始動条件が満たされた状態で、第１抽選要素より先に記憶された第２抽選要素が存在している必要がある
ウ−１．上記ウの下線部の記載から、刊行物１に記載された発明では、第１抽選要素と第２抽選要素とは、単に均等な数の保留記憶が存在するのみならず、該各要素の記憶順、すなわち発生順が交互であることも求められていると言える。
エ．「【００１８】
　
解決手段３
前記第１始動入賞口への流入が容易となる態様により前記遊技領域内へ放出
前記第２始動入賞口への流入が容易となる態様により前記遊技領域内へ放出する
オ．「【００１９】
　本解決手段によれば、本発明の遊技機において以下の特徴が追加される。
（１）本発明の遊技機による遊技は、発射された遊技球が遊技領域内を流下していくことで進行する。
（２）第１事象や第２事象は、遊技領域内を流下する遊技球が無作為に第１始動入賞口に流入（入賞）したり、第２始動入賞口に流入（入賞）したりすることで発生する。
（３）上記とは別に、球振り分け装置の流入口へも遊技球は無作為に流入するが、これによって直接的に第１事象や第２事象が発生するわけではない。
（４）ただし球振り分け装置は、流入した
遊技球を二方向へ交互に振り分けた後、第１始動入賞口への入賞が容易となる態様で遊技領域内に再度放出するか、あるいは、第２始動入賞口への入賞が容易となる態様で遊技領域内に再度放出する
（５）したがって、例えば遊技中に第１始動入賞口への流入や第２始動入賞口への流入を主眼として遊技球を発射するのではなく、球振り分け装置への流入を主な目標とすれば、そこでの
振り分けと放出の動作により、第１始動入賞口への流入（入賞）と第２始動入賞口への流入（入賞）が交互に発生することが促進される
【００２０】
　これにより、
第１抽選要素及び第２抽選要素の記憶が交互に蓄積されやすくなり
カ．「【００２１】
　解決手段４：解決手段３において、前記球振り分け装置は、前記流入口を通じて前記遊技領域内から無作為に流入した遊技球を前記盤面に沿う二方向へ交互に振り分けた後、前記二方向でそれぞれ前記盤面に対して直交する軸線に沿って遊技球を奥側へ転動させて誘導し、前記盤面より奧の位置で流下を伴いつつ前記軸線に沿って遊技球の転動方向を前面側へ反転させた状態で前記遊技領域内へ遊技球を放出することができる。」
キ．「【００２２】
　
解決手段５
内部に前記流入口の下方位置から前記二方向へ分岐する２つの振分誘導路が形成された装置本体
流入口から流入してきた遊技球を２つの前記振分誘導路へ交互に振り分けて誘導する振分動作体
２つの前記振分誘導路の終端にそれぞれ連なって形成され、前記盤面を構成する板材の内部を前記盤面より奥側へ延び、かつ、前記盤面より奧の位置で下方へ屈曲された後に前記盤面の前面側へ折り返して延びた２つの整流誘導路
ク．「【００２３】
　上記の態様であれば、球振り分け装置における遊技球の流下は以下の態様となる。
（１）先ず、流入口を通じて流入した遊技球を振分誘導路により盤面に沿って二方向へ交互に振り分ける。なお、ここでは遊技球の自然な流下が前提であり、振り分けには動力を用いないため、盤面に沿う二方向は必然的に幅方向となる。
（２）次に、振分誘導路の二方向の終端では、それぞれ盤面に対して直交する軸線に沿って奥側へ遊技球の転動方向を変換する。
（３）整流誘導路内では、盤面より奧の位置で遊技球を下方に潜り込ませながらＵターンさせる。
（４）Ｕターンされた遊技球は、前面に向けて開放した放出口を通じて遊技領域内に再度放出される。
【００２４】
　
上記（２）から（３）の過程を通じて
上記（１）で与えられた振り分け時の二方向への勢いが殺される（整流作用）。
遊技球の流下方向がほとんど下向きで安定し、振り分け時の二方向に暴れにくくなる
放出された遊技球を第１始動入賞口や第２始動入賞口へ高頻度で入賞させやすくする
ケ．「【００６０】
〔球振り分け装置（第１構造例）〕
　・・・
【００６１】
　球振り分け装置２００は、
遊技球が１つ通過し得る程度の幅を有する振分誘導路２０１
振分誘導路２０１は、トンネル状の構造
【００６２】
　
振分誘導路２０１の中央部分には、円柱形状の空間が形成されており、その空間には風車形の回転体２０５が配置されている
コ．「【００６５】
〔可変始動入賞装置２８（左始動入賞口２８ａ）側への振り分け〕
　図５中（Ａ）に示すように、最初の状態では、回転体２０５の羽部材２０５ｂが右側の突起部２０６ｂと接触している状態である。
　この状態で遊技球３００が流入口２０２に流入すると、回転体２０５における羽部材２０５ａと羽部材２０５ｃとの間に遊技球３００が入り込み、遊技球３００の重みによって回転体２０５が左回り（反時計回り）に回転する。
【００６６】
　そして、図５中（Ｂ）に示すように、回転体２０５が左回りに回転することにより、遊技球３００が第２放出口２０３に導かれ、遊技球３００が可変始動入賞装置２８側へ振り分けられる。・・・。」
サ．「【００６７】
　第２放出口２０３は下向きに開口しており、この開口端から可変始動入賞装置２８の上方に配置された一対の障害釘（命釘）までの距離Ｄは、例えば遊技球３００の直径より僅かに大きく設定されている。したがって、可変始動入賞装置２８側へ
振り分けられた遊技球３００は、そのまま可変始動入賞装置２８（左始動入賞口２８ａ）に入賞する場合もあるし、一対の障害釘（命釘）に弾かれて可変始動入賞装置２８に入賞しない場合もある
シ．「【００７２】
　第１放出口２０４も同様に下向きに開口しており、この開口端から右始動入賞口２６の上方に配置された一対の障害釘（命釘）までの距離Ｄもまた、例えば遊技球３００の直径より僅かに大きく設定されている。したがって、
右始動入賞口２６側へ振り分けられた遊技球は
そのまま右始動入賞口２６に入賞する場合もあるし、右始動入賞口２６の上方の釘に弾かれて右始動入賞口２６に入賞しない場合もある。
ス．「【００７５】
〔球振り分け装置（第２構造例）〕
・・・
【００７７】
　第２構造例の球振り分け装置２００は、例えばフロントパーツ２００ａ及びリヤパーツ２００ｂを有しており、これら２つのパーツ２００ａ，２００ｂが球振り分け装置２００の本体部分（装置本体）を主に構成している。このうちリヤパーツ２００ｂは、遊技盤８の板材（例えばベニヤ板、透明樹脂板）に対してその一部を嵌め込んだ状態で取り付けられる。すなわちリヤパーツ２００ｂは、その大部分が盤面に沿って拡がったプレート状をなしているが、両端部分にはそれぞれ、盤面の奧方向へ突出した部分（図８では示さず）が一体に形成されている。」
セ．「【００８０】
　第２構造例の球振り分け装置２００は、第１放出口２０４及び第２放出口２０３の形態が第１構造例と異なっている。すなわち、第１構造例では第１放出口２０４及び第２放出口２０３が下向きに開放していたが、第２構造例の場合、第１放出口２０４及び第２放出口２０３がいずれも前面に向けて開放している。したがって第２構造例の場合、第１放出口２０４及び第２放出口２０３の各開口面が遊技盤８の前面（盤面）と平行に配置されている。
【００８１】
　前面向きの第１放出口２０４及び第２放出口２０３を形成するため、第２構造例の球振り分け装置２００には、正面視で縦型の整流誘導路２０８，２０９が形成されている。これら
整流誘導路２０８，２０９は、振分誘導路２０１の両端にそれぞれ連なり、そこから盤面の奥側へ向けて屈曲されている。そして各整流誘導路２０８，２０９は、盤面の奧で下方に潜り込み、さらに盤面の前面側へ折り返すようにして反転している。そして第１放出口２０４及び第２放出口２０３は、各整流誘導路２０８，２０９が反転した終端（開放端）に位置している。
ソ．「【０１０１】
　第２構造例において第２放出口２０３は前面に向けて開口しており、この
開口の下端縁（Ｕターンリブ２００ｆのエッジ）から可変始動入賞装置２８の上方に配置された一対の障害釘（命釘）までの距離Ｄは、例えば遊技球３００の直径より大きく設定され
第２放出口２０３から遊技領域８ａ（図１２には示さず）に再放出された遊技球３００は、無作為な流下に伴って可変始動入賞装置２８（左始動入賞口２８ａ）に入賞する場合もあるし、一対の障害釘（命釘）に弾かれて可変始動入賞装置２８に入賞しない場合もある
・・・
【０１０５】
　第２構造例において、第１放出口２０４もまた前面に向けて開口しており、この
開口の下端縁（Ｕターンリブ２００ｆのエッジ）から右始動入賞口２６の上方に配置された一対の障害釘（命釘）までの距離Ｄは、例えば遊技球３００の直径より大きく設定され
第１放出口２０４から遊技領域８ａ（図１３には示さず）に再放出された遊技球３００は、無作為な流下に伴って右始動入賞口２６に入賞する場合もあるし、一対の障害釘（命釘）に弾かれて右始動入賞口２６に入賞しない場合もある。
ソ−１．図１３（Ｂ）には、第１放出口２０４から放出された遊技球が右始動入賞口２６直上の命釘（附番なし）に弾かれて、右始動入賞口２６に入賞せず、右方の遊技領域や左始動入賞口２８との間の領域（この場合も遊技球は下方の遊技領域へ出て行くと考えられる）に出て行くことが図示されているといえる。
タ．「【０１０９】
〔遊技球の整流作用〕
　
第２構造例
（１）先ず、流入口２０２を通じて流入した遊技球３００を回転体２０５及び振分誘導路２０１により盤面に沿って左右いずれかの方向へ交互に
振り分け
（２）次に、
振分誘導路２０１の左右両端では、それぞれコーナーリブ２０１ｂ及び傾斜板２０１ａにより盤面に対して直交する軸線（図中Ｚ軸線）に沿って奥側へ遊技球３００の転動方向を変換する。
（３）左右の整流誘導路２０８，２０９内では、盤面より奧の位置でその軸線（図中Ｚ軸線）に沿って遊技球３００をＵターンさせる。このとき遊技球３００は、盤面の奧で下方に潜り込むようにして反転する。
（４）Ｕターンされた遊技球３００は、前面に向けて開放した第１放出口２０４又は第２放出口２０３を通じて遊技領域８ａ内に再度放出される。
【０１１０】
　上記
（２）から（３）の過程を通じて、遊技球３００の流下の態様は左右方向から上下方向へ整えられており、上記（１）で与えられた左右方向への勢いが殺される（整流作用）。
第１放出口２０４又は第２放出口２０３から放出された遊技球３００の流下方向がほとんど下向きで安定し、左右方向に暴れにくくなるため、放出された遊技球３００を右始動入賞口２６又は可変始動入賞装置２８（左始動入賞口２８ａ）へ高頻度で入賞させやすくする
　上記記載事項ア．〜タ．及び刊行物１の図面から、以下の事項が導かれる。
チ．前記キ・ケ・セ・ソの記載及び図８・１４から、第２構造例において、整流誘導路２０８，２０９及びそれらの第１・第２各放出口（２０４・２０３）の開口下縁端から各始動口２６・２８上方の障害釘までの経路が、振り分け動作体（回転体１０５）及び振り分け誘導路２０１の下方、かつ各始動入賞口２６・２８の上方に位置することがみてとれる。
ツ．上記タの、整流誘導路２０８・２０９の作用により、該各整流誘導路の放出口から放出された遊技球は、「振り分け」で与えられた左右方向への勢いが殺される（整流作用）。これにより、第１放出口２０４又は第２放出口２０３から放出された遊技球３００の流下方向が
ほとんど下向きで安定し、左右方向に暴れにくくなる
高頻度で入賞
　ここで、前記入賞の頻度については、各入賞口上方の一対の命釘の調整次第で変更することが可能である点で不確定性があるが、刊行物１に記載された発明は、上記ア・イに記載されたとおり、振り分け装置に流入した遊技球が必ず２つの始動入賞口に交互に入賞する構造の従来技術について、（ア）、その「複数の図柄に対応する抽選要素の記憶数を最大限に活用できる遊技性を実現しつつ」、「抽選契機となるべき入賞の発生からその検出までのタイミングに極端なばらつきが生じるのを防止して遊技の公正を図る技術の提供を目的とする」（イ）ものであるから、例えば振り分け装置から放出された遊技球の入賞確率が５０％を割るといった、「必ず交互に入賞」するという従来技術の持つ遊技性を大きく損なう設定を行うことは、前記目的に反することになるので、刊行物１に記載された発明の態様としては想定されない。
テ．上記タ（【０１１０】）で、「遊技球３００の流下の態様は左右方向から上下方向へ整えられており、上記（１）で与えられた左右方向への勢いが殺される」整流作用を発揮する部分として、「上記（２）から（３）の過程を通じて」すなわち、
「（２）振分誘導路２０１の左右両端では、それぞれコーナーリブ２０１ｂ及び傾斜板２０１ａにより盤面に対して直交する軸線（図中Ｚ軸線）に沿って奥側へ遊技球３００の転動方向を変換する。
（３）左右の整流誘導路２０８，２０９内では、盤面より奧の位置でその軸線（図中Ｚ軸線）に沿って遊技球３００をＵターンさせる。このとき遊技球３００は、盤面の奧で下方に潜り込むようにして反転する」
という過程が挙げられている。
　このうち、整流誘導路２０８，２０９は盤面の奥側（厚み内部）を盤面に沿う鉛直方向に走行する流路要素であるが、コーナーリブ２０１ｂは、振分誘導路２０１の端部要素として盤面の前面側に設けられた遊技球の方向転換部材であり、振分誘導路２０１を盤面に沿ったほぼ水平方向に流れてきた遊技球を盤面の奥側方向に方向転換するものであるから、その方向転換に伴い遊技球の盤面に沿う水平方向の速度成分が減じられることが明らかであり、よって、「振り分け」で与えられた左右方向への勢いが殺される」との作用の少なくとも一部を担う要素であることが明らかである。
　また、上記タでいう「（２）から（３）の過程」即ちコーナーリブ２０１ｂ（左右方向の運動を遊技盤奥側方向へ転換）及び整流誘導路２０８・２０９（傾斜板２０１ａに沿う遊技盤奥側方向の運動を鉛直下方への運動に転換し、鉛直下方へ流下）からなる流路による遊技球の方向転換と案内が、上記タでは「左右方向への勢いが殺される（整流作用）。これにより、第１放出口２０４又は第２放出口２０３から放出された遊技球３００の流下方向がほとんど下向きで安定し、左右方向に暴れにくくなる」との作用を発揮すると説明されており、「左右方向への勢い」が（流路摩擦の影響を除けば）主として前記流路の左右方向に位置する壁面やリブによって減じられることは物理法則から自明であるから、「第２構造例」では、前記流路のコーナーリブ２０１ｂ及び整流誘導路２０８・２０９の左右の壁面の存在が、前記作用に主として貢献していることは明らかである。
　そして、整流誘導路２０８・２０９は遊技盤奥側（盤内部）に形成され、奥側と左右側に壁面を持つ流路であるから（図９・１４）、ここを流下する遊技球は、流下に伴い前記奥側と左右側の壁面に衝突（接触）し、「押さえられ」得ることが明らかと言える。
ト．図４〜６及びこれに対応する【００６０】〜【００７４】には、「球振り分け装置（第１構造例）」として、球流入口２０２から振分動作体２０５、振分誘導路２０１を経て各入賞口の方向へほぼ鉛直方向に放出する放出口２０３・２０４までを、すべて遊技盤の盤面前面側に設ける実施例が記載されている。
ナ．上記ア〜タの記載事項及び上記チ〜テの認定事項から、刊行物１には次の発明（以下「刊行物１発明」という。）が記載されていると認められる（ａ〜ｋ−３は、本件補正発明のＡ〜Ｋ−３に対応させて付与した。）。
「ａ　遊技者に相対する盤面に遊技領域が形成された遊技盤と、前記遊技領域に向けて遊技球を発射する球発射装置と、
　前記遊技領域内に配置され、前記遊技領域内を流下する遊技球が無作為に流入することで第１事象を発生させる第１始動入賞口を含む第１事象発生手段と、
　前記遊技領域内で前記第１始動入賞口とは別の位置に配置され、前記遊技領域内を流下する遊技球が無作為に流入することで第２事象を発生させる第２始動入賞口を含む第２事象発生手段と、
　前記遊技領域内で前記第１始動入賞口及び前記第２始動入賞口より上方位置に配置された流入口を有し、この流入口を通じて前記遊技領域内から無作為に流入した遊技球を前記盤面に沿う二方向へ交互に振り分けて誘導する振り分け装置を含む事象発生促進手段と、（以上エ）
　前記振り分け装置本体内に配置され、前記流入口から流入してきた遊技球を２つの振分誘導路へ交互に振り分けて誘導する振分動作体である回転体２０５と、（キ・ケ）
ｂ　前記振り分け装置本体内部に設けられ、前記流入口に流入した遊技球を前記振分動作体により交互に振り分けて誘導される、前記流入口の下方位置から前記二方向へ分岐する２つの振分誘導路２０１のうちの一方と、（エ・カ・キ）
ｃ　前記振り分け装置本体内部に設けられ、前記流入口に流入した遊技球を前記振分動作体により交互に振り分けて誘導される、前記流入口の下方位置から前記二方向へ分岐する２つの振分誘導路２０１のうちの他方と、（エ・カ・キ）
ｄ　前記振分誘導路２０１のうちの一方の終端に連なって形成され、前記盤面を構成する板材の内部を前記盤面より奥側へ延び、かつ、前記盤面より奧の位置で下方へ屈曲された後に前記盤面の前面側へ折り返して延びた一方の整流誘導路２０８から、該整流誘導路２０８が反転した終端（開放端）に位置する第１放出口２０４の開口の下端縁（Ｕターンリブ２００ｆのエッジ）を経て右始動入賞口２６の上部までの経路１と、（キ・ソ）
ｅ　前記振分誘導路２０１のうちの他方の終端に連なって形成され、前記盤面を構成する板材の内部を前記盤面より奥側へ延び、かつ、前記盤面より奧の位置で下方へ屈曲された後に前記盤面の前面側へ折り返して延びた他方の整流誘導路２０９から、該整流誘導路２０９が反転した終端（開放端）に位置する第２放出口２０３の開口の下端縁（Ｕターンリブ２００ｆのエッジ）を経て左始動入賞口２８の上部までの経路２と、（キ・ソ）
ｆ　前記一方の整流誘導路２０８から、それが反転した終端（開放端）に位置する第１放出口２０４の開口を経て右始動入賞口２６の上方に配置された一対の障害釘（命釘）までの経路１’において、第１放出口２０４から遊技領域８ａ（図１３には示さず）に再放出された遊技球３００は、一対の障害釘（命釘）に弾かれて右始動入賞口（第１始動入賞口）２６に入賞せず遊技領域に出て行く場合もあり、（シ・ソ・ソ−１）
ｇ　前記他方の整流誘導路２０９から、それが反転した終端（開放端）に位置する第２放出口２０３の開口を経て左始動入賞口２８の上方に配置された一対の障害釘（命釘）までの経路２’において、第２放出口２０３から遊技領域８ａ（図１３には示さず）に再放出された遊技球３００は、一対の障害釘（命釘）に弾かれて左始動入賞口（第２始動入賞口）２８に入賞せず遊技領域に出て行く場合もあり、（シ・ソ・ソ−１）
ｈ　前記経路１は、前記第１始動入賞口の上方かつ前記振り分け装置の下方に設けられ、（ソー１）
ｉ　前記経路２は、前記第２始動入賞口の上方かつ前記振り分け装置の下方に設けられ、（ソー１）
ｊ−１　前記経路１’は、前記一方の振分誘導路に振り分けられた遊技球が前記右始動入賞口（第１始動入賞口）に入賞する確率が、入賞しない確率よりも大きいように（ツ）、
ｊ−２　遊技盤の奥側にわたって配置され、（セ）
ｊ−３　そのうちの整流誘導路２０８においては、左右方向と奥側とから該遊技球を押さえるように構成され、（テ）
ｋ−１　前記経路２’は、前記他方の振分誘導路に振り分けられた遊技球が前記左始動入賞口（第２始動入賞口）に入賞する確率が、入賞しない確率よりも大きいように（ツ）、
ｋ−２　遊技盤の奥側にわたって配置され、（セ）
ｋ−３　そのうちの整流誘導路２０９においては、左右方向と奥側とから該遊技球を押さえるように構成され（テ）
ていることを特徴とする遊技機。」
（２）刊行物２に記載された技術事項
　本願の遡及日前に頒布された刊行物である特開２００１−３１００２３号公報（以下「刊行物２」という。）には、図面と共に次の事項が記載されている（下線は当審にて付した。以下同じ。）。
ア．「【０００３】
【発明が解決しようとする課題】このように遊技盤面上を流下する遊技球は、上記障害釘により、入賞口の付近に導かれる場合が多い。したがって、遊技球が入賞口に入賞するか否かは、障害釘の配置と遊技球の落下（流下）態様とにほぼ支配されており、入賞に際して遊技者の興趣を高めるに至らずに単調化する場合がある。」
イ．「【０００５】
【課題を解決するための手段及び作用・効果】上記課題を解決するために、本発明の遊技機は、遊技球を複数方向に誘導することが可能な誘導装置を遊技領域に備えた遊技機において、誘導装置が、少なくとも一つの導入領域と、その導入領域に対して複数設けられた導出領域とを備え、導入領域への遊技球の導入態様に応じて、異なる複数の導出領域のいずれかへ遊技球が誘導されることを特徴とする。」
ウ．「【００１１】なお、具体的に流下経路変更手段としては、例えば遊技球を前記複数の誘導経路構成手段に振り分け可能な分岐部や、遊技球の流下を妨げる突起部材、遊技球の流下方向を変更する回転部材等を例示することができる。例えば、
上記誘導経路構成手段を、長手方向に延びる第１経路構成手段（主経路構成手段）と、その第１経路構成手段から分岐部において分岐した第２経路構成手段（分岐経路構成手段）とを少なくとも含むものとすれば
【００１２】特に、
第１経路構成手段は、遊技球をその入賞又は通過により遊技者に利益を付与可能な遊技装置（役物）に導くものとすることができる
これらの各種遊技装置へ遊技盤面上を流下する遊技球を導くために、第１経路構成手段を構成し、第２経路構成手段を前記遊技装置に導かないための経路構成手段とすれば
エ．「【００２７】判定用図柄表示装置２６の図示左側には、
遊技球を特別領域３６又は普通領域３７のどちらかに振分ける振分装置３８
振分装置３８へは
誘導装置３５０の何れかから遊技球が入賞可能
オ．「【００９７】・・・誘導装置３５０は、
遊技盤１０から立ち上がる連続壁面であって、遊技球を誘導するための経路を構成する経路構成手段としての例えば樹脂製の誘導壁部３５１（図２４ａ参照）
カ．「【００９８】・・・遊技領域１１（図２参照）を流下する遊技球Ｋを受入れ可能な球入口（導入領域）３５３と、その遊技球を当該誘導装置３５０から排出可能な複数（本実施例では３つ）の球出口（導出領域）３５４，３５５，３５６と、球入口３５３から入った遊技球Ｋを複数の球出口３５４〜３５６のいずれかに誘導するための分岐部３６０，３６０と、を備えている。この場合、誘導装置３５０に導入された遊技球Ｋの誘導（振分け）は、球入口３５３への遊技球Ｋの導入態様（球入口３５３への進入角度（：Ｒ＝０又はα又はβ））に応じて、分岐部３６０において行われる。
球出口３５４，３５５へ導出された遊技球Ｋ１，Ｋ２は、遊技領域１１（図２参照）へ放出
球出口３５６へ導出された遊技球Ｋ３は、振分装置３８の球受入口３８ｂ（図２参照）から振分装置３８に入賞する
遊技球は、誘導壁部３５１に衝突ないし接触して流下経路が変更するため、誘導壁部３５１も遊技球Ｋの導入態様に応じて流下経路を変更する流下経路変更手段として機能している
キ．「【０１０８】以上のような誘導装置３５０、３５０ａ〜３５０ｉを、本実施例においては第三種遊技機の図柄始動用役物に適用することとしているが、その他にも第一種遊技機（通称フィーバー機と呼ばれる）に使用される
始動入賞口、その他の入賞口
始動入賞口、その他の入賞口
　上記記載事項ア．〜キ．及び刊行物２の図面から、以下のク．〜コ．の事項が導かれる。
ク．前記オ．の記載及び図２・１０・２４（ａ）（ｂ）から、「誘導装置３５０」は遊技盤１０の遊技領域１１内、すなわち遊技盤面の前面側に突出して取り付けられている構造体であると言える。
ケ．前記ウ．、カ．、キ．の記載及び図１０から、「誘導装置３５０」上端の「球入口（導入領域）３５３」から流入した遊技球は、「誘導壁部３５１」・「分岐部３６０」を経てウ．の「第１経路構成手段は、遊技球をその入賞又は通過により遊技者に利益を付与可能な遊技装置（役物）に導く」「第１経路構成手段（主経路構成手段）」にあたる「経路構成手段３５１ａ」から球出口３５６への経路と、ウ．の「前記遊技装置に導かないための経路構成手段」である「第２経路構成手段（分岐経路構成手段）」にあたる球出口３５４・３５５へ向かう経路とに分岐し、前記「遊技者に利益を付与可能な遊技装置（役物）」としてはキ．から、始動入賞口またはその他の入賞口が想定されていると言える。
コ．前記記載事項オ．、カ．、及び認定事項ク．から、「誘導装置３５０」の「誘導経路３５１」及び「第１経路構成手段（主経路構成手段）」にあたる「経路構成手段３５１ａ」では、経路を通過する遊技球は少なくとも左右方向の壁面に衝突して流下経路が変更されるように構成されていると言える。
（３）対比
　本件補正発明と刊行物１発明とを、分説に従い対比する。（以下、刊行物１発明の各構成については単に「構成ａ」などといい、本件補正発明の各構成は単に「構成Ａ」などということがある。）
ア．構成ａの
　「回転体２０５」、「振分動作体」
はそれぞれ構成Ａの
　「振分部」、「球振り分け装置」
に相当する。
　したがって構成ａは構成Ａに相当する。
イ．構成ｂ・ｃの「振分誘導路２０１のうちの一方」「振分誘導路２０１のうちの他方」は、それぞれ構成Ｂ・Ｃの「第１誘導路」「第２誘導路」に相当する。
　したがって、構成ｂ・ｃは構成Ｂ・Ｃに相当する。
ウ．構成ｄ・ｅの「経路１」「経路２」がそれぞれ、構成Ｄ・Ｅの「第１通過経路」「第２通過経路」に相当する。
　したがって、構成ｄ・ｅは構成Ｄ・Ｅに相当する。
エ．構成ｆにおける「経路１’」は上記「経路１」の一部分であるから、「経路１’」は「経路１」「に設けられ」ていると言える。
　また、構成ｆにおいて「経路１’」からは「遊技球３００」が「一対の障害釘（命釘）に弾かれて右始動入賞口（第１始動入賞口）２６に入賞せず遊技領域に出て行く」ことが可能であるから、構成ｆの「経路１’」は「遊技球が前記遊技領域に誘導可能に構成された」ものと言える。
　したがって、前記ウ．を踏まえれば、構成ｆは構成Ｆに相当する。
オ．同じく構成ｇにおける「経路２’」は上記「経路２」の一部分であるから、「経路２’」は「経路２」「に設けられ」ていると言える。
　また、構成ｇにおいて「経路２’」からは「遊技球３００」が「一対の障害釘（命釘）に弾かれて右始動入賞口（第２始動入賞口）２８に入賞せず遊技領域に出て行く」ことが可能であるから、構成ｇの「経路２’」は「遊技球が前記遊技領域に誘導可能に構成された」ものと言える。
　したがって、前記ウ．を踏まえれば、構成ｇは構成Ｇに相当する。
カ．上記エ・オを総合し、「経路１’」「経路２’」がそれぞれ、上記３．で検討した本件補正発明の「第１通過可能領域」・「第２通過可能領域」についての特定事項のうち、「遊技盤の前面側」に位置することに関する点（３．（ｂ）及び３．（ｃ）の一部）を除き満足すると言える。
キ．構成ｈ・ｉがそれぞれ構成Ｈ・Ｉに相当することは明らかである。
ク．構成ｊ−１・ｊ−３・ｋ−１・ｋ−３がそれぞれ構成Ｊ−１・Ｊ−３・Ｋ−１・Ｋ−３に相当することは明らかである。
ケ．　上記ア．〜ク．によれば、本件補正発明と刊行物１発明とは、
「Ａ　発射された遊技球が流下する遊技領域を形成する遊技盤と、
前記遊技領域に設けられ、前記遊技領域を流下する遊技球が入賞する第１始動入賞口と、
前記遊技領域に設けられ、前記遊技領域を流下する遊技球が入賞する第２始動入賞口と、
前記遊技領域に設けられ、前記遊技領域を流下する遊技球を受け入れて進行方向を複数　の異なる方向に振り分ける振分部を有する球振り分け装置と、
Ｂ　前記振分部の両側の一方に設けられ、前記振分部により振り分けられた遊技球を前記第１始動入賞口に誘導する第１誘導路と、
Ｃ　前記振分部の両側の他方に設けられ、前記振分部により振り分けられた遊技球を前記第２始動入賞口に誘導する第２誘導路と、
Ｄ　前記第１誘導路で誘導される遊技球が通過する第１通過経路と、
Ｅ　前記第２誘導路で誘導される遊技球が通過する第２通過経路と、
Ｆ　前記第１通過経路に設けられ、前記第１誘導路側に振り分けられた遊技球が前記遊技領域に誘導可能に構成された第１通過可能領域と、
Ｇ　前記第２通過経路に設けられ、前記第２誘導路側に振り分けられた遊技球が前記遊技領域に誘導可能に構成された第２通過可能領域と
　を備え、
Ｈ　前記第１通過経路は、前記第１始動入賞口の上方かつ前記球振り分け装置の下方に設けられ、
Ｉ　前記第２通過経路は、前記第２始動入賞口の上方かつ前記球振り分け装置の下方に設けられ、
Ｊ−１　前記第１通過可能領域は、前記第１誘導路側に振り分けられた遊技球が前記第１始動入賞口に入賞するよりも前記遊技領域に再び誘導され難いように、
Ｊ−３　複数方向から該遊技球を押さえるように構成され、
Ｋ−１　前記第２通過可能領域は、前記第２誘導路側に振り分けられた遊技球が前記第２始動入賞口に入賞するよりも前記遊技領域に再び誘導され難いように、
Ｋ−３　複数方向から該遊技球を押さえるように構成されている遊技機。」
の点で一致し、次の各点で相違する。
［相違点１］
　本件補正発明の構成Ｊ−２に関し、刊行物１発明では、第１通過可能領域に相当する経路１’で遊技球を複数方向から押さえるように構成されている部分（整流誘導路２０８）が、遊技盤の前面側ではなく奥側である点。
［相違点２］
　本件補正発明の構成Ｋ−２に関し、刊行物１発明では、第２通過可能領域に相当する経路２’で遊技球を複数方向から押さえるように構成されている部分（整流誘導路２０９）が、遊技盤の前面側ではなく奥側である点。
（４）当審の判断
　上記各相違点は、構成が対応する一対の経路について個々に認定したものであるから、以下に於いてこれらをまとめて検討する。
ア．相違点１・２について
　上記記載事項（２）ア．〜キ．、認定事項（２）ク．〜コ．から、刊行物２の「誘導装置３５０」は、遊技領域に誘導可能な「第２経路構成手段（分岐経路構成手段）」にあたる球出口３５４・３５５へ向かう経路を備える点が本件補正発明の構成Ｆ（Ｇ）の「第１（第２）通過可能領域」の特定事項に対応し、また、「誘導経路３５１」及び「第１経路構成手段（主経路構成手段）」にあたる「経路構成手段３５１ａ」では、流下する遊技球が盤面に沿った左右方向の壁面に衝突する（コ．）から、該流下する遊技球は、流下方向により該両壁面からそれぞれ（左右方向への移動を）押さえる作用を受け（得）ることが明らかである。
　そしてこの作用が、特に「第１経路構成手段（主経路構成手段）」にあたる「経路構成手段３５１ａ」の部分において、流出口３５６下方の振り分け装置３８やその他入賞口等（キ．）への入賞を補助する作用を持つことは明らかである。よって、前記「誘導装置３５０」の遊技球経路の構成は、本件補正発明の「第１（第２）通過可能領域」についての構成Ｆ・Ｇ・Ｊ−１・Ｊ−３・Ｋ−１・Ｋ−３の特定事項に対応する。
　また、刊行物２の前記「誘導装置３５０」の遊技球通過経路はすべて、遊技盤の盤面の前面側に位置している（ク．）から、相違点１・２の構成、即ち「第１（第２）通過可能領域」についての構成Ｊ−２・Ｋ−２にも対応する。
　また、刊行物１発明と刊行物２に記載された技術事項とは、共に遊技領域を流下する遊技球をその自重と運動により入賞口等へ誘導・振り分けを行う構造体に関するものである点で共通しており、さらに、刊行物１には各受賞口への振り分け・誘導路部材及びその流路を遊技盤の前面側に取り付ける例も記載されている（上記（１）ト．）ことからみても、刊行物１発明で一部を盤面奥側に設けた遊技球通過経路及びそのための経路経路手段に対し、そのすべてを盤面前面側に設けた刊行物２記載の技術事項事項を適用することに、その動機付けを格別阻害する要因は存しない。
　以上のとおりであるから、刊行物１発明において、振り分け装置の遊技球経路のうち、一部経路部分が盤面奥に設けられた経路１’・経路２’の部分について、上記刊行物２に記載された「誘導装置３５０」の構成に置き換えて、そのすべてが遊技盤の前面側にあるような構成とすることは、当業者が容易になし得るものである。
　そして、本件補正発明により奏される効果は、当業者が、刊行物１発明及び刊行物２に記載された技術事項から予測し得た範囲内のものであって、格別のものではない。　
イ．請求人の主張について
　請求人は審判請求書【請求の理由】３（３）に於いて以下のとおり主張している。
「引用文献１に記載された整流誘導路２０８，２０９は、盤面の奥側に向けて屈曲されています。これに対し、本願請求項１に係る発明の第１通過可能領域及び第２通過可能領域は、遊技盤の前面側で複数方向から遊技球を押さえるように構成されています。　
　従いまして、本願請求項１に係る発明と引用文献１に記載された発明は、発明を特定する事項に明確な差異があります。このため、本願請求項１に係る発明は、特許法第２９条第１項第３号に該当しません。　
　また、引用文献１には、本願請求項１に係る発明の上記特徴的構成が開示も示唆もされておらず、動機付けとなる記載も一切ありません。　
　さらに、引用文献１に記載された整流誘導路２０８，２０９は、盤面の奥側に向けて屈曲され、盤面の奥で下方に潜り込み、さらに盤面の前面側へ折り返すように反転されています。このため、本願明細書段落［０００８］に記載されているように、整流誘導路２０８，２０９は、最低でも遊技球２個分（遊技球の直径の２倍）の高さとなり、構造上の制限を受けて、遊技領域内を占める領域が広くなり、遊技機の設計自由度を低下させてしまいます。　
　従いまして、引用文献１に記載された発明は、本願請求項１に係る発明の上記第２の効果が得られません。さらに、引用文献１に記載された発明は、上記特徴的構成によって得られる上記第１の効果も当然に得られません。このため、本願請求項１に係る発明は、引用文献１に記載された発明と比較した有利な効果であって技術水準から予測される範囲を超えた顕著な効果を有します。　
　従いまして、本願請求項１に係る発明は、引用文献１に記載された発明に基づいて当業者が容易に想到することはできず、特許法第２９条第２項に該当しません。　」
　上記請求人が主張する本件補正発明の「複数方向から遊技球を押さえる」作用は、拒絶査定時の引用文献２にあたる上記刊行物１にも記載されている事項であるから、当該主張は結局、刊行物１において第１通過可能領域及び第２通過可能領域が遊技盤の前面側ではなく「盤面の奥側に向けて屈曲され、盤面の奥で下方に潜り込み、さらに盤面の前面側へ折り返すように反転されて」いるという相違点に基づく主張であると言える。
　しかし、遊技球を複数方向から押さえて入賞口等へ導く経路を遊技盤の前面部に設けることが刊行物２により本件遡及日前に公知であったことは上述のとおりであり、審判請求人の主張は採用できない。
ウ．小括
　したがって、上記ア〜イにおいて検討したように、本件補正発明は、刊行物１発明及び刊行物２に記載された技術事項に基づいて当業者が容易に発明をすることができたものであるから、特許法第２９条第２項の規定により、特許出願の際独立して特許を受けることができない。
４．むすび
　上記３．において検討したことからみて、本件補正は、特許法第１７条の２第６項において準用する同法第１２６条第７項の規定に違反するので、同法第１５９条第１項において読み替えて準用する同法第５３条第１項の規定により却下すべきものである。
第３．本願発明について
１．本願発明
　本件補正は、上記のとおり却下されたので、本願の請求項１〜３に係る発明は、平成２７年１２月２１日付けの手続補正書により補正された特許請求の範囲の請求項１〜３に記載されたとおりのものであるところ、その請求項１に係る発明（以下、「本願発明」という。）は、上記「第２［理由］１．本件補正について」に本件補正前の請求項１として記載したとおりのものである。
２．刊行物
　原査定の拒絶の理由に引用された刊行物１の記載事項は、上記第２．の４．（１）に記載したとおりである。
３．対比・判断
　本願発明は、本件補正発明の発明特定事項から、上記第２．の１．の構成Ｊ−２・Ｊ−３・Ｋ−２・Ｋ−３の下線部の構成を省いたものである。
　上記第２．の４．（２）で検討したとおり、本願発明と刊行物１発明との相違点は上記第２．の１．の下線部の構成のみであるから、そうすると、この構成を省いた本願発明と刊行物１発明とに相違点は存在しない。
　したがって、本願発明は、刊行物１発明と同一であり、刊行物１に記載された発明であるといえる。
４．むすび　
　以上のとおり、本願発明は、刊行物１に記載された発明であり、特許法第２９条第１項第３号の規定により特許を受けることができないものである。
　したがって、その余の請求項に係る発明について論及するまでもなく、本願は拒絶すべきものである。　
　
　よって、結論のとおり審決する。